(57)【要約】【課題】アウト口周辺のセキュリティ性、及び遊技盤や遊技盤の下方に配設される他の部品の配置自由度を向上させることが可能な遊技機の本体枠を提供する。【解決手段】遊技球が流下する遊技領域、及び当該遊技領域の下部に設けられ、遊技領域内に打ち出された遊技球を回収するアウト口を有する遊技盤を着脱可能に保持する枠部を備えた遊技機の本体枠であって、本体枠におけるアウト口の直下に、当該アウト口への磁気の接近を検知する磁気検知センサを遊技盤の盤面に対して所定の角度で保持するセンサホルダを収容可能なホルダ収容部を設けた構成とした。【選択図】図３
2014151086.tif 000002
【特許請求の範囲】
【請求項１】
遊技球が流下する遊技領域、及び当該遊技領域の下部に設けられ、遊技領域内に打ち出された遊技球を回収するアウト口を有する遊技盤を着脱可能に保持する枠部を備えた遊技機の本体枠であって、
前記本体枠における前記アウト口の直下に、当該アウト口への磁気の接近を検知する磁気検知センサを前記遊技盤の盤面に対して所定の角度で保持するセンサホルダを収容可能なホルダ収容部を設けたことを特徴する遊技機の本体枠。
【請求項２】
前記センサホルダが、前記遊技盤の盤面に対して平行なホルダ基部と、
当該ホルダ基部に対して所定の角度傾斜したホルダ頭部とを有し、
前記磁気検知センサが前記ホルダ頭部内に配置されたことを特徴とする請求項１記載の遊技機の本体枠。
【請求項３】
前記ホルダ収容部が、前記ホルダ頭部を収容するホルダ頭部収容室を有し、当該ホルダ頭部収容室の大きさが、互いに傾斜角度が異なるホルダ頭部を有する複数種別のセンサホルダを収容可能に設定されていることを特徴とする請求項２記載の遊技機の本体枠。
【発明の詳細な説明】
【技術分野】
【０００１】
本発明は遊技機の本体枠に関し、特にセキュリティ及び部品の配置自由度を向上させることが可能な遊技機の本体枠に関する。
【背景技術】
【０００２】
遊技機の一例としてのパチンコ機の遊技盤には、所謂ゴト行為と呼ばれる不正な遊技を防止する観点から、一般的に遊技盤の遊技領域に配設された複数の入賞部品の位置と対応するように遊技盤の背面側に磁気検知センサを配置し、磁石を用いたゴト行為を防止する対策が執られている。磁石を用いたゴト行為の類型としては、手に隠し持った磁石を遊技盤の前面側に近づけることにより、遊技領域内に打ち出された遊技球を磁力によって捕捉し、捕捉した遊技球を入賞部品に対して強制的に入賞させる行為や、磁力によって遊技球を捕捉した状態を維持し、順次打ち出される後続の遊技球を捕捉した遊技球に対して次々に積み上げられた状態とすることにより、後続の遊技球の遊技領域内における経路を特定の入賞部品へ向かうように限定する行為（ぶどうゴト）等が存在する。
特許文献１には、複数の入賞部品の位置に対応するように遊技盤の背面側に磁気検知センサを設けるとともに、当該センサの周囲に磁性体からなる板体或いは棒体を付加的に配設することにより、センサの検知範囲を拡大し、上記ゴト行為に対するセキュリティを向上させる構成が開示されている。
【先行技術文献】
【特許文献】
【０００３】
【特許文献１】特開２０１０−１８３９６０号公報
【発明の概要】
【発明が解決しようとする課題】
【０００４】
しかしながら、磁気検知センサの周囲に磁性体を配置する構成にあっては、検知範囲の拡大という有用な効果を奏するものの、遊技盤の背面側には磁性体は元より、磁気検知センサそのものの配置スペースを確保するにも困難な場所が存在する。ここで、磁気検知センサを配置することが困難な場所としては、遊技盤の遊技領域の最下流部に開設されたアウト口付近が挙げられる。アウト口の周囲には、複数の入賞部品や所謂大当り獲得時において動作する大入賞装置、或いは遊技の進行を制御する基板が格納された制御ユニット等が狭い範囲で密接に配設されるため、これらの部品を優先的に配置すれば必然的に磁気検知センサとアウト口との距離が遠くなり、セキュリティ上の観点から好ましくない。
一方で、磁気検知センサを優先的に配置すると、アウト口周辺のレイアウトに制約が加わることとなり、上述したような部品の配置自由度が低下する。
【０００５】
本願発明は、上記課題を解決すべくなされたものであって、アウト口周辺のセキュリティ性、及び遊技盤や遊技盤の下方に配設される他の部品の配置自由度を向上させることが可能な遊技機の本体枠を提供する。
【課題を解決するための手段】
【０００６】
上記課題を解決するための構成として、遊技球が流下する遊技領域、及び当該遊技領域の下部に設けられ、遊技領域内に打ち出された遊技球を回収するアウト口を有する遊技盤を着脱可能に保持する枠部を備えた遊技機の本体枠であって、本体枠におけるアウト口の直下に、当該アウト口への磁気の接近を検知する磁気検知センサを遊技盤の盤面に対して所定の角度で保持するセンサホルダを収容可能なホルダ収容部を設けた構成とした。
また、他の構成として、センサホルダが遊技盤の盤面に対して平行なホルダ基部と、当該ホルダ基部に対して所定の角度傾斜したホルダ頭部とを有し、磁気検知センサがホルダ頭部内に配置された構成とした。
また、他の構成として、ホルダ収容部が、ホルダ頭部を収容するホルダ頭部収容室を有し、当該ホルダ頭部収容室の大きさが、互いに傾斜角度が異なるホルダ頭部を有する複数種別のセンサホルダを収容可能に設定されている構成とした。
なお、上記発明の概要は、本発明の必要な特徴の全てを列挙したものではなく、特徴群を構成する個々の構成もまた発明となり得る。
【発明の効果】
【０００７】
上記各構成によれば、遊技盤に磁気検知センサを配設する必要がなくなるため、アウト口周辺のセキュリティ性、及び遊技盤や遊技盤の下方に配設される他の部品の配置自由度を向上させることが可能となる。
【図面の簡単な説明】
【０００８】
【図１】パチンコ機の全体斜視図である。
【図２】本体枠の正面図である。
【図３】本体枠の後方を示す全体斜視図である。
【図４】部品搭載部を示す断面図である（図３Ａ−Ａ断面）。
【図５】ホルダ収容部を示す拡大斜視図である。
【図６】センサホルダの斜視図及び断面図である。
【図７】検出有効範囲を模式的に示す図である。
【図８】センサホルダの傾斜角度の変化を示す断面図である。
【発明を実施するための形態】
【０００９】
以下、図１〜図８を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明においてパチンコ機の各部の左右方向は、そのパチンコ機に対面する遊技者にとっての前後，上下，左右方向に一致させて説明する（図１の矢印参照）。
【００１０】
まず、図１を用いて遊技機の一例としてのパチンコ機１の全体構成について説明する。同図に示すように、パチンコ機１は、遊技機設置店の島ともよばれる設備に固定的に設置される縦長矩形状の機枠２と、機枠２に対して前後方向に開閉自在に軸着される本体枠３と、本体枠３内に着脱自在に装着される後述の遊技盤１０（図２参照）と、本体枠３に対して前後方向に開閉自在に軸着されたパネル扉１５とを主たる構成として備える。
【００１１】
機枠２は、本体枠３を収容可能な矩形の開口部を形成する額縁状に形成され、左右方向一側部に上下に分かれて配設されたヒンジ部２Ａにより本体枠３を前後方向に開閉可能に軸支する。パネル扉１５は、本体枠３の前方の全域を前方から閉鎖可能な縦長矩形状の外観を呈し、その中央部には遊技盤１０の前面に形成された遊技領域１０Ａの範囲とほぼ対応する大きさのガラス窓１６が配設されている。遊技者がパチンコ機１を正面視した場合、ガラス窓１６を通して本体枠３に搭載された遊技盤１０の遊技領域１０Ａ及び遊技領域１０Ａ上を流下する遊技球の行方を視認することが可能となっている。また、パネル扉１５の前面下部には、図外の払出ユニットより払い出された遊技球を貯留可能な上皿１５Ａと、当該上皿１５Ａと図外の誘導通路を介して連通し、上皿１５Ａから溢れた遊技球や、遊技者によって移動された遊技球を一時的に貯留させるための下皿１５Ｂとが上下に突設されている。また、上皿１５Ａ上には、決定ボタン及び選択ダイヤルを備えた操作部１７が設けられている。また、パネル扉１５の下部右側には、ハンドルユニット１９０が前方に突設される。ハンドルユニット１９０は、遊技者の操作によって左右方向に回動自在に支承されたハンドル部１９０Ａを有しており、当該ハンドル部１９０Ａの右方向への回動操作によって、上皿１５Ａ内に貯留された遊技球が本体枠３の前面に配設された図外の球発射ユニット内に順次送出され、球発射ユニットの駆動により遊技領域１０Ａ内に打ち出される。さらに、パネル扉１５には上述した部品の他、複数のスピーカやＬＥＤを搭載した電飾基板などの多様な装飾部品が搭載されている。
【００１２】
次に、図２，図３を参照して機枠２内に収容され、パネル扉１５によって前方が閉鎖される本体枠３について説明する。各図に示すように、本体枠３は遊技盤１０を収容可能な矩形状の開口部を形成する枠部４と、枠部４の下方に位置する部品搭載部３０とを有する。図３に特に示すように、枠部４は、下枠４Ａ、左枠４Ｂ、右枠４Ｃ及び上枠４Ｄとから構成され、これら複数の枠部に囲まれた領域内には略矩形状の遊技盤１０が着脱自在に収容される。下枠４Ａの上面は、遊技盤１０が収容された状態において、略矩形状の遊技盤の下面と当接し、遊技盤１０を下方から支持する。また、下枠４Ａの上面には、遊技盤１０の下面と当接し、遊技盤１０収容時の後方への押し込みを容易とする複数のガイドリブ６や、遊技盤１０が前方から収容された状態において、遊技盤１０の遊技領域１０Ａの最下部に形成されたアウト口２０と対応する排出誘導体７等が上方に向けて突設されている。
【００１３】
左枠４Ｂの後部には、当該左枠４Ｂの上下方向に沿って後方に突設され、上枠４Ｄの後面に配設される図外の球補給タンクから供給される遊技球を遊技者に対して払い出す図外の払出ユニットの取り付け部２２が後方に突設される。払出ユニットは、上下方向に蛇行しつつ延在する内部通路と、モータの駆動により回転し、内部通路内において遊技球を所定回転角ごとに分離して払い出すスプロケットや、当該スプロケットにより払い出される遊技球の数を計数する計数センサ等の払出機構とを有しており、当該払出ユニットによる払出動作は、後述の払出制御装置３００による処理により実行される。
【００１４】
上枠４Ｄの後部には、図外の球補給タンクに隣接するように、図外の外部情報送信ユニットの取り付け部２３が後方に突設される。当該外部情報送信ユニットは、遊技に関する各種の情報を遊技機設置店に設けられたホールコンピュータに送信する処理を実行する。左枠４Ｂの左側上下部には、パネル扉１５の左右方向一側部に設けられた凹部と係合する図外の開閉軸を有するパネル保持ヒンジ８Ａ；８Ｂが突設される。パネル保持ヒンジ８Ａ；８Ｂは、互いに上下方向に離間し、互いに対向して同軸上に突出する開閉軸を有しており、当該開閉軸がパネル扉１５の一側部に設けられた凹部と係合することにより、パネル扉１５が当該開閉軸を中心として本体枠３に対して前後方向に開閉自在に保持される。つまり、本体枠３は、機枠２に対して前後方向に開閉可能に構成され、パネル扉１５は本体枠３に対して開閉可能に構成される。
【００１５】
図２に示すように、右枠４Ｃの右側上部には、遊技盤ロック体１１が前方に突設される。遊技盤ロック体１１は、遊技盤１０に開設されたロック孔１２と対応する略円筒状の係合部と、当該係合体の前方において回動可能に設けられた楕円状のロック部とを有している。遊技盤１０を本体枠３の枠部４内に脱落不能に収容するには、遊技盤１０を本体枠３の枠部４内における所定の位置に位置決めした後に、楕円状のロック部の長軸が上下方向に直交するように回動されることにより行われる。これにより遊技盤１０のロック孔１２が遊技盤ロック体１１の円筒状の係合部に嵌め合わされ、当該係合部からの脱落が前方に位置するロック部により阻止される。なお、枠部４内への遊技盤１０の固定は、枠部４の内周側に配設された他の位置決め機構やストッパ機構等によっても行われ、遊技盤１０が本体枠３の枠部４に装着，収容された場合、遊技盤１０は、枠部４内において略垂直方向に立設した状態とされる。一方で、楕円状のロック部の長軸が上下方向に平行となるように回動されることにより、遊技盤ロック体１１によるロック状態が解除され、遊技盤１０の枠部４に対する着脱が可能になる。
【００１６】
次に、枠部４内に収容される遊技盤１０の構成について概説する。図２に示すように、遊技盤１０は、本体枠３の枠部４の開口形状と対応する矩形状の板状体であって、内ガイドレール１３、及び外ガイドレール１４によってほぼ円形状に区画された遊技領域１０Ａを有する。当該遊技領域１０Ａは、前述の球発射ユニットによって打ち出された遊技球が流下する領域であって、その流下経路上には、遊技球を取り込み可能に設けられた第１始動入賞部品２６、第２始動入賞部品２７、大入賞部品２８、及び複数の一般入賞部品２９Ａ；２９Ｂ等の各種の入賞部品や、その他の通過ゲート、風車及び図外の遊技釘等の各種の遊技部品が配設されている。第１始動入賞部品２６、第２始動入賞部品２７、大入賞部品２８及び通過ゲートの内部には、それぞれ検出センサが内蔵されており、これら対応する検出センサによって遊技球の入賞又は通過が検出される。また、各検出センサは、遊技盤１０の背面側に搭載された主制御装置と特定の中継基板及び入力ポートを介して接続されており、その検出信号は主制御装置側に出力される。
【００１７】
遊技領域１０Ａの略中央部には、前後左右方向に延在するステージ１８や、ステージ１８の後方に位置する演出表示装置６５０が配設される。ステージ１８は、遊技領域１０Ａの流下経路上に設けられた図外のワープ通路によって導出された遊技球を例えば左右方向に転動させながら前方に誘導し、中央部に設けられた導出口１８Ａより下流に排出する構成であって、例えば当該ステージ１８内に到達した遊技球は、高い確率で第１始動入賞部品２６内に入賞する。各入賞部品のうち、第２始動入賞部品２７は、上方開口の入賞口２７Ａと当該入賞口２７Ａへの入賞を閉鎖状態において阻止し、開放状態において許容する開閉自在に設けられた一対の開閉体２７Ｂとから構成される。開閉体２７Ｂは、遊技盤１０の背面側に設けられたソレノイド等の駆動手段への励磁によって左右方向に離間するように開放し、遊技球の入賞口２７Ａへの入賞を許容する。また、大入賞部品２８は、前方開口の横長矩形状の大入賞口２８Ａと、当該大入賞口２８Ａの形状と略等しく形成され、閉鎖状態において大入賞口２８Ａへの入賞を阻止し、開放状態において許容する開閉自在に設けられた大入賞口開閉体２８Ｂとから構成される。大入賞口開閉体２８Ｂは、遊技盤１０の背面に設けられたソレノイド等の駆動手段への励磁によって下端部を中心として前方に倒伏するように開放し、遊技球の大入賞口２７Ａへの入賞を許容する。
【００１８】
図２に示すように、上記各入賞部品と対応する位置には、仮想線（二点鎖線）で示す一定の検出範囲Ｒ１乃至Ｒ５を有する磁気検出センサが遊技盤１０の背面に対して配設されている。これら複数の磁気検出センサは、各入賞部品への磁力の接近を検知するとともに、その検出信号を主制御装置側に出力する。つまり、遊技盤１０の背面側には、遊技盤１０前面に配設された複数の入賞部品の位置と対応する検出範囲Ｒ１乃至Ｒ５を有する磁気検出センサが配設されており、遊技領域１０Ａ内に打ち出された遊技球を磁力によって捕捉し、捕捉した遊技球を各入賞部品に対して強制的に入賞させるようなゴトが効果的に防止される。
【００１９】
演出表示装置６５０は、例えば遊技盤１０の前方に臨む表示画面上において演出図柄の変動表示や、画像，動画等による所定の演出表示を表示可能な液晶表示装置であって、当該演出表示装置６５０によって表現される演出図柄の変動表示、或いは所定の演出表示の態様は、主制御装置より送信されるコマンドによって動作する図外の副制御装置ユニットによる制御処理により決定される。演出表示装置６５０は、遊技盤１０を前後方向に貫通する取り付け孔を介して後方に突出するように配設されており、当該演出表示装置６５０の後面に副制御装置が配設される。
【００２０】
遊技領域１０Ａの最下部には、遊技盤１０を前後方向に貫通する開口として開設されたアウト口２０が設けられる。アウト口２０は、上述の複数の入賞部品に入賞することなく遊技領域１０Ａ上を流下した全ての遊技球が回収される開口であって、当該アウト口２０から回収された遊技球は、遊技盤１０の背面側に誘導された後、図外の排出経路を経てパチンコ機１の機外に排出される。本実施形態においては、アウト口２０の上方には、第２始動入賞部品２７及び大入賞部品２８が狭い範囲で近接した状態で配設されており、第２始動入賞部品２７及び大入賞部品２８の位置と対応する遊技盤１０の背面側には、コイルへの励磁により開閉体２７Ｂ又は大入賞口開閉体２８Ｂを開放動作させる複数のソレノイド、さらに検出範囲Ｒ４及びＲ５を有する磁気検出センサが配設されている。
【００２１】
よって、本実施形態におけるアウト口２０の位置と対応する遊技盤１０の背面側のスペースは小であり、アウト口２０への磁力の接近を検知するための磁気検知センサの配置スペースは限られたものとなる。また、アウト口２０の周囲には、磁界を発生するソレノイドが近接して配置されているため、ソレノイドから発生する磁界を避けるように磁気検出センサを配置すれば、アウト口２０へのセキュリティ性が低下する恐れが生じる。そこで以下に説明するように本実施形態においては、アウト口２０への磁力の接近を検知する磁気検出センサＳ１を本体枠３側に配設することにより、アウト口２０へのセキュリティ性を担保しつつ、遊技盤１０に配設される遊技部品のレイアウトの自由度を向上させている。
【００２２】
上記構成からなる遊技盤１０を備えたパチンコ機１の遊技の流れを概説すると、遊技球が第１始動入賞部品２６又は第２始動入賞部品２７に入賞した場合、主制御装置の処理により、乱数を用いた所定の当否抽選処理が実行され、副制御装置が前記所定の当否抽選の結果（「当り」又は「外れ」）を示す態様で変動表示中の演出図柄を停止表示させる。そして、演出図柄の停止表示した態様が「当り」を示す態様である場合には、大入賞部品２８を開放動作させる特別遊技（大当り遊技）を実行する。また、主制御装置は、遊技球が第１始動入賞部品２６、第２始動入賞部品２７及び大入賞部品２８のいずれかに入賞したことに基づいて前述の払出制御装置３００に対して賞球払出コマンドを送信し、当該コマンドを受信した払出制御装置３００側では賞球払出コマンドを解析するとともに、各入賞部品に対して予め設定された賞球数が払い出されるように前述の払出ユニットを駆動し、遊技者に対して遊技球（賞球）を払い出す。特に特別遊技中において入賞可能となる大入賞部品２８への入賞に対する賞球数は、他の入賞部品への入賞に対する賞球数よりも多く設定されているため（例えば「３個」に対して「１５個」）、特別遊技を獲得した場合には、一度に大量の賞球を獲得することが可能となる。なお、遊技盤１０の具体的な盤面構成、或いはパチンコ機１の遊技性についてはこの限りではなく、例えば上述した入賞部品以外の入賞部品や、役物と呼ばれる動的装飾装置等を含んで構成されるが、これ以上の詳細な説明は省略する。
【００２３】
次に、本体枠３の部品搭載部３０について説明する。図２，図３に示すように、部品搭載部３０は、遊技盤１０の下面と当接する下枠４Ａの下方において広がる横長矩形状の盤状領域であって、その前面には主として発射ユニット搭載部３０Ａ、及びスピーカ搭載部３０Ｂ等の各種の取り付け部に区画される。発射ユニット搭載部３０Ａは、パネル扉１５の前面に形成された図外の上皿体より供給される遊技球を励磁によって駆動する球送りモータにより順次取り込むとともに、同じく励磁によって駆動する図外の球発射モータによって、取り込んだ遊技球を所定の間隔で遊技盤１０の遊技領域１０Ａ上に打ち出す球発射ユニットが取り付けられる部位である。当該球発射ユニットの動作は、後述する払出制御装置３００により制御される。
【００２４】
また、スピーカ搭載部３０Ｂは、前方に開口する円形の取り付け孔３６を有するとともに、部品搭載部３０の前面より後面側に突出する箱状の空間を形成する。当該箱型のスピーカ搭載部３０Ｂ内には、ボイスコイル、マグネット及び振動板等の構成を備えたスピーカが収容され、遊技の進行に応じた多様な音声を前方に向けて発する。同図に示すように取り付け孔３６には、所定の間隔で開設された放音孔を有するスピーカカバー３６Ａが取着されており、スピーカから発せられた音声は放音孔を経由して前方に放出される。つまり、部品搭載部３０の前面には遊技盤１０と同様に磁界を発生させる部品（本例では、球発射ユニット及びスピーカ）が搭載されており、本体枠３への磁気検出センサＳ１の配設にあたっては、これらの部品の存在も考慮する必要が生じる。
【００２５】
次に、本体枠３の部品搭載部３０の背面側の構造について説明するとともに、磁気検出センサＳ１の取り付け構造について詳説する。図３に示すように、部品搭載部３０の背面である取り付け面３５には、複数の取り付けボスや球流路が後方に突設されており、複数の取り付けボスを介して、図４に示す球誘導ユニット１００、電源制御装置２００及び払出制御装置３００が前方から後方にかけて積層されるように取り付けられる。
【００２６】
球誘導ユニット１００は、遊技盤１０の遊技領域１０Ａに打ち出された遊技球の全てを集積，回収し、パチンコ機１の機外に排出する部品であり、前述の複数の入賞部品、或いは、アウト口２０内に取り込まれ、遊技盤１０の背面側に設けられた排出通路を経由して流下してくる遊技球を受け止める球受け部１００Ａと、当該球受け部１００Ａによって受け止められた遊技球を下流側に誘導，排出する誘導通路１００Ｂとを主たる構成として備える。電源制御装置２００は、球誘導ユニット１００の後面に対して図外の取り付けボスや係合部を介して積層されるように取り付けられる。電源制御装置２００は、遊技設置店から供給される外部電源（例えばＡＣ２４Ｖ）を引き込むとともに、引き込んだ電力を交直変換，或いは平滑して他の制御装置に供給する電源制御基板２００Ａと、当該電源制御基板２００Ａを密閉状に覆うケーシング２００Ｂとを主たる構成として備える。払出制御装置３００は、電源制御装置２００の後面に対して図外の取り付けボスや係合部を介して積層されるように取り付けられる。払出制御装置３００は、主として主制御装置から送信される賞球払出コマンドに基づいて払出ユニットを駆動し、遊技者に対して賞球の払出しを実行する機能、及び遊技者の操作によるハンドルユニット１９０から入力に基づいて球発射ユニットを制御し、遊技球の遊技領域１０Ａ上への打ち出しを実行する機能を有する払出制御基板３００Ａを備える。当該払出制御基板３００Ａは、封印ボスによって開封困難とされたケーシング３００Ｂ内に格納される。
【００２７】
図４に示すように、部品搭載部３０の取り付け面３５側に配設される上述の球誘導ユニット１００、電源制御装置２００、払出制御装置３００を後方視した場合の最も前側には、センサホルダ６０によって係止された磁気検出センサＳ１が、部品搭載部３０に設けられたホルダ収容部４０内に配設される。
【００２８】
図５に示すようにホルダ収容部４０は、枠部４Ａの上面に当接する遊技盤１０に開設されたアウト口２０の直下に設けられており、垂直に延在する取り付け面３５と平行な基準面３５Ａに対して後方に向けて凸となるホルダ基部取り付け部４１と、前方に向けて凹となるホルダ頭部収容室５０とから構成される。ホルダ収容部４０には、傾斜角度が異なる複数種類のセンサホルダ６０が収容可能とされており、センサホルダ６０内に係止された磁気検出センサＳ１がアウト口２０に接近する磁気を検出する。以下、まず、センサホルダ６０及び磁気検出器Ｓ１の関係について説明する。
【００２９】
図６に示すようにセンサホルダ６０は、ホルダ収容部４０に取り付けられた状態において、垂直な取り付け面３５と平行となるホルダ基部６１と、ホルダ基部６１の上端部より前後方向に屈曲しつつ延長するホルダ頭部７０とから構成される。ホルダ基部６１は、ホルダ収容部４０のホルダ基部取り付け部４１に合致する形状を有しており、前後方向に貫通する係合孔６２Ａ及びハーネス係止部６３を有する横長矩形状の基盤６２と、当該基板６２の右側部に形成されたハーネス係止部６３と、基盤６２の左側部において後方に突設された側壁６４と、ハーネス係止部６３の右側部及び上部において後方に突設された側壁６６及び上壁６８とを有する。
【００３０】
係合孔６２Ａは、後述するホルダ基部取り付け部４１に突設されたボス部４６の外径と対応する孔径を有しており、ボス部４６を係合孔６２Ａと一致させた状態で後方から図外の止めねじを螺入することにより、センサホルダ６０がホルダ収容部４０に対して固着される。ハーネス係止部６３は、磁気検知センサＳ１の下面に開設されたコネクタ部ＣＮ１内に挿入される図外ハーネスを係止するフックである。具体的には、ハーネス係止部６３は、基盤６２の右側部後面から後方に僅かに突出するＬ字状のリブ６３Ａの左側終端部と連続して後方に隆起するとともに右側に延在し、その右側端部が前方に屈曲することによりフック状を呈する。上記形状からなるハーネス係止部６３を介してコネクタ部ＣＮ１より延在する図外のハーネスを係止又は巻き付けることにより、図外のコネクタ端子に向けて引き回されるハーネスに生じ得る余計な弛みを防止することが可能となる。なお、図外のハーネスを通じて送出される信号（磁気検知信号）は、主制御装置側に入力し、主制御装置側では磁気を用いたゴト行為が行われた可能性があることを遊技設置店側に報知する処理を実行する。
【００３１】
側壁６４は、基盤６２の左側端縁に沿って上下方向に延在する壁部である。側壁６４の下部には、左方に向けて突出する位置決め凸部６４Ａが形成される。位置決め凸部６４Ａは、後述するホルダ基部取り付け部４１に突設された位置決め凹部４３の形状と合致する形状を呈する。また、側壁６４の上端部は、ホルダ頭部７０の傾斜側壁７４と連続する。側壁６６は、ハーネス係止部６３の右側部において基盤６２の右側端縁に沿って上下方向に延在する壁部である。当該側壁６６の下部には、右方に向けて突出する位置決め凸部６６Ａが形成される。当該位置決め凸部６６Ａは、後述するホルダ基部取り付け部４１に突設された位置決め凹部４５の形状と合致する形状を呈する。上壁６８は、側壁６６と連続し、ハーネス係止部６３の上部における基盤６２の上端縁より基盤６２に対して４５°の傾斜を持って後方に向けて傾斜する壁部である。また、上壁６８の左側端部は、ホルダ頭部７０の傾斜側壁７５と連続する。
【００３２】
次に、上述のホルダ基部６１に対して所定の角度を持って傾斜するように構成されるホルダ頭部７０について説明する。図６（ａ），（ｂ）に示すようにホルダ頭部７０は、前述のホルダ基部６１と連続し、略くの字状に屈曲しつつ上下方向に延長する部位である。ホルダ頭部７０は、大きく区分して基盤６２に対して４５°の角度を持って後方に向かって傾斜する傾斜片７１と、当該傾斜片７１に対して９０°（基盤６２に対して４５°）の角度を持って前方に向かって傾斜するセンサ係止片７６とからなる。傾斜片７１は、基盤６２の上端部と連続して、当該基盤６２に対して後方に向けて４５°の角度を持って後方に傾斜する傾斜基盤７２を有する。傾斜基盤７２の上端部には、下方に向けて凹となるように門型に開口するハーネス通過部７２Ａが開設されており、当該ハーネス通過部７２を介して図外のハーネスの一端がコネクタＣＮ１側に接続される。傾斜基盤７２の両側端縁にはそれぞれ、傾斜側壁７４；７５が後方に向けて突設されている。傾斜側壁７４は、前述の側壁６４と連続して後方に向けて突出する壁部である。また、傾斜側壁７５は、前述の上壁６８と連続して後方に向けて突出する壁部である。
【００３３】
センサ係止片７６は、傾斜側壁７４に対して９０°の角度を持って前方に傾斜する係止側壁７７と、当該係止側壁７７と平行に対向する係止側壁７８と、係止側壁７７；７８同士を接続する２本の底部接続壁７９、及び係止側壁７７の上端部と連続して屈曲しつつ、左右方向に延在する係止上壁８０とにより構成される。上記各壁部によって囲まれた空間は、後方開口のセンサ係止部７６Ａとして構成され、当該センサ係止部７６Ａ内には、磁気センサＳ１が収容，係止される。より詳細には、磁気センサＳ１の係止側壁７７；７８の内面側から突出する係止爪７７Ａ；７８Ａが磁気センサＳ１の上面と当接し、上記センサ係止部７６Ａ内に収容された磁気検出センサＳ１が脱落不能に係止される。
つまり、センサ係止片７６は、略矩形状に形成された磁気センサＳ１の周囲を取り囲むよりに形成された複数の壁部により囲まれるセンサ係止部７６Ａを有しており、当該センサ係止部７６Ａ内において磁気検出センサＳ１を係止する。そして、図６（ｂ）に示すように、当該センサ係止部７６Ａによって係止された磁気検出センサＳ１は、垂直に立設された状態で収容される遊技盤１０の盤面に対して、前方に向けて４５°傾斜した状態となる。
【００３４】
次に、上記構成からなるセンサホルダ６０を収容可能に形成されたホルダ収容部４０の構造について説明する。上述のとおり、ホルダ収容部４０は、センサホルダ６０のホルダ基部６１の外郭形状に対応して形成されたホルダ基部取り付け部４１と、センサホルダ６０のホルダ頭部７０の外郭形状に対応して形成されたホルダ頭部収容室５０とから構成される。
【００３５】
図５，図８に示すように、ホルダ基部取り付け部４１は、取り付け面３５と平行な基準面３５Ａから後方に向けて同一寸法で突出する左右の支持壁４２；４４によって区画される。支持壁４２は、枠部４Ａの下面５３から下方向けて垂直に垂下する壁部である。また、当該支持壁４２の下端部には、左方に向かって凹となるように湾曲する係止凹部４３が形成されており、湾曲部を経て右方に延在する。支持壁４２は、上述のセンサホルダ６０が収容された場合において、センサホルダ６０における側壁６４、傾斜側壁７４及び係止側壁７７に沿って延在し、その内面４２Ａが各側壁の外面と当接する。また、前述のとおり、係止凹部４３は、センサホルダ６０が収容された場合において、側壁６４に形成された位置決め凸部６４Ａと係合する壁部である。
【００３６】
支持壁４４は、支持壁４２と平行に対向して上下方向に延在するとともに、その下端部側には、右方に向かって凹となるように湾曲する係止凹部４５が形成されており、湾曲部を経て下方に延在する。支持壁４４は、センサホルダ６０が収容された場合において、センサホルダ６０における側壁６６に沿って延在し、その内面が側壁６６の外面と当接する。また、係止凹部４５は、前述の係止凹部４３と同一高さに形成されており、センサホルダ６０が収容された場合において側壁６６に形成された位置決め凸部６６Ａと係合する。つまり、センサホルダ６０がホルダ収容部４０の後方から前方向かって取着され、ホルダ収容部４０の係止凹部４３；４５にそれぞれ位置決め凸部６４Ａ；６６Ａが係合することにより、ホルダ収容部４０内におけるセンサホルダ６０の姿勢が適切に位置決めされる。
具体的には、図５に示すように、センサホルダ６０に収容された磁気検出センサＳ１の左右寸法Ｌ１の中心と、アウト口２０の左右寸法（間口）Ｌ２の中心とが上下方向に延在する垂直線上において一致する。
【００３７】
上記平行に対向する支持壁４２；４４の間には、後方に向けて突出するボス部４６が設けられる。ボス部４６は、ホルダ頭部収容室５０を形成する背面５５から後方に突設される円筒形状であって、その外径は、センサホルダ６０に設けられた係合孔６２Ａの孔径と略一致する。また、ボス部４６の中心部にはねじ穴４６Ａが穿設されている。
以上のとおり、ホルダ基部取り付け部４１は、センサホルダ６０におけるホルダ基部６１と対応する部位であって、ホルダ基部取り付け部４１内にホルダ基部６１が収容されることにより、ホルダ基部６１の基盤６２は取り付け面３５と平行、換言すれば本体枠３の枠部４内に垂直姿勢で収容される遊技盤１０の盤面と平行となる。
【００３８】
次にホルダ頭部収容室５０について説明する。ホルダ頭部収容室は、取り付け面３５と平行な基準面３５Ａの上端縁から前方に向けて延在する底面５１と、当該底面５１と平行に対向する枠部４Ａの下面５３と、下面５３の右側部より立ち上がる側面５４と、当該側面５４と平行に対向する前述の支持壁４２の内面４２Ａ、及び各面の前端縁同士を接続する背面５５により区画される空間である。側面５４は、底面５１の右側縁に沿って前後方向に延在する面であって、センサホルダ６０の傾斜側壁７５の一部区間、及び係止側壁７８と当接する。また、支持壁４２の内面４２Ａは、センサホルダ６０の傾斜側壁７４の一部区間、及び係止側壁７７と当接する。
また、詳細については後述するが、底面５１と平行に対向する枠部４Ａの下面５３の高さは、傾斜角度の異なるホルダ頭部７０を有する複数のセンサホルダ６０を収容可能な高さに予め設定されており、ホルダ頭部７０の係止上壁８０の外面と接触することのない高さとされている。側面５４と内面４２Ａとの間には、円筒状のボス部４６の中心部直上から上方に立ち上がるとともに、背面５５に向かって前方に傾斜する支持壁部５６が形成される。当該支持壁部５６は、センサホルダ６０が収容された状態において、ホルダ頭部７０の左右方向中央部と対応する位置に設けられ、その傾斜角度はセンサ係止片７６の傾斜角度（＝磁気検知センサＳ１の傾斜角度）と等しく設定される。支持壁部５６がこのように形成されることにより、センサ係止片７６の前面側はその傾斜に沿って支持壁部５６に安定的に支持される（図８参照）。
【００３９】
図７は、センサホルダ６０によって係止される磁気検出センサＳ１の検出有効範囲Ｋを模式的に示す図である。同図に示すように磁気検出センサＳ１の検出有効範囲Ｋは、直方体を形成する６面を取り巻くように、複数の楕円状の球体が積層されたような画一的な範囲であり、磁気検出センサＳ１の遊技盤１０に対する姿勢（傾斜角度）を変化させれば、遊技盤１０のアウト口２０の周囲に対する相対的な検出範囲も変化する。
そして、本実施形態においては、上記のような検出範囲を有する磁気検出センサＳ１を、アウト口２０の直下に設けられたホルダ収容部４０内にセンサホルダ６０によって係止された状態、かつ、磁気検出センサＳ１の検出範囲にアウト口２０が含まれる状態で配設することにより、アウト口２０の前方側から接近する磁気を確実に検出する構成としている。さらに、本実施形態においては、遊技盤１０の背面側、或いは部品搭載部３０の前面に配設される磁界を発生させる複数の部品の存在による磁気検出センサＳ１の誤検出を避け、部品配置の自由度を向上させるため、ホルダ収容部４０内に傾斜角度の異なるホルダ頭部７０を有する複数種類のセンサホルダ６０を収容可能な構成としている。
【００４０】
以下、上記構成からなるホルダ収容部４０に傾斜角度の異なるホルダ頭部７０を有する複数のセンサホルダ６０を収容する場合について説明する。図８は、磁気検出センサＳ１の遊技盤１０の盤面に対する傾斜角度が４５°に設定された状態と、３０°に設定された状態、及び０°（遊技盤１０と平行）に設定された状態との変化を示す断面図である。遊技盤１０に対する磁気検出センサＳ１の傾斜角度を変更するには、ホルダ頭部７０を構成する傾斜片７１の基盤６２に対する傾斜角度を変更するか、当該傾斜片７１に対するセンサ係止片７６の傾斜角度を変更する方法を取り得るが、同図においては傾斜片７１の基盤６２（垂直面）に対する傾斜角度を変更した例を示している。
【００４１】
同図に示すように、傾斜片７１の傾斜角度を基盤６２に対して後方に４５°，６０°，９０°となるように設定すれば、傾斜片７１に対して前方に向けて９０°傾斜するセンサ係止片７６の基盤６２（遊技盤１０の盤面）に対する角度が後方に向けて４５°，３０°，０°となるように変化し、センサ係止片７６によって係止される磁気検出センサＳ１の遊技盤１０の盤面に対する傾斜角度も４５°，３０°，０°となるように変化する。なお、同図においては３段階の角度を持って傾斜する例を示したが、より傾斜角度をより広範囲或いは細かく設定可能であることは言うまでもない。
【００４２】
そして、上述のように傾斜片７１の基盤６２に対する傾斜角度を変化させた場合、具体的には図６に示す基盤６２と傾斜基盤７２とが交わる屈曲部Ｑ１を基点として傾斜片７１を傾斜させた場合は、係止上壁８０の上端面８０Ａが屈曲部Ｑ１の任意の点を中心とする
仮想線Ｐ１で示す円軌跡を描く。従って、屈曲部Ｑ１からホルダ頭部収容室５０を形成する枠部４Ａの下面５３までの高さ寸法Ｌ３を係止上壁８０の上端面８０Ａが描く仮想線Ｐ１で示す円軌跡よりも高い位置とすれば、傾斜角度の異なるホルダ頭部７０を有する複数のセンサホルダ６０を自在に収容することが可能となる。なお、上記条件は傾斜片７１に対するセンサ係止片７６の傾斜角度を変更する場合でも同様である。
【００４３】
つまり、本実施形態に係るホルダ収容部４０におけるホルダ頭部収容室５０は、ホルダ頭部７０の傾斜角度が異なる複数種別のセンサホルダ６０を収容可能なように、その高さが予め設定されており、収容されるセンサホルダ６０の種別を問わずセンサホルダ６０を適切に収容することが可能となっている。
【００４４】
以下、アウト口２０への磁気の接近を検知する磁気検出センサＳ１をアウト口２０直下に形成された部品搭載部３０のホルダ収容部４０内に設けたことの優位性について説明する。上述のとおり、遊技盤１０におけるアウト口２０の周囲には、多様な形態の入賞部品が近接して配置されるが、磁気検知センサＳ１が遊技盤１０外に配設されていることにより、アウト口２０周辺のスペースが確保され、遊技盤１０の盤面設計の段階において入賞部品の自由度を向上させることが可能となる。具体的には例えば、図２に示す大入賞部品２８をアウト口２０により近づけた状態で配置することが可能となる。
また、遊技盤１０の背面側及び部品搭載部３０の前面側には磁界を発生させる複数の部品が配設されるが、ホルダ収容部４０は、傾斜角度の異なる傾斜頭部７０を有する複数種別のセンサホルダ６０を収容可能なホルダ頭部収容室５０を有しているため、磁界を発生させる複数の部品の位置を決定した後に、これら複数の磁界の影響を避け得る角度により磁気検知センサＳ１を配置すればアウト口２０への磁気の接近を確実に検知できるとともに、周囲に存在する磁界の影響による誤検知を防止することができる。また、遊技盤１０の交換（機種替え）により、磁界を発生させる複数の部品の位置が変更となった場合であっても、異なる傾斜角度を有するセンサホルダ６０に付け替えることで、上記同様の効果を得ることができる。
【００４５】
さらに、上記実施形態によれば、磁気検知センサＳ１の検出有効範囲Ｋを傾斜角度の変更によって自在に調整できるため、遊技盤１０の盤面構成或いは部品搭載部３０における部品配置の設計段階において、磁界を発生させる複数の部品の位置を優先的に設定することができ、設計効率を向上させることができる。即ち、従来のパチンコ機においては、セキュリティを確保することが最優先とされていたため、部品配置の設計段階においては、まず磁気検知センサの配置場所を決定した後に磁気検知センサの有効検知範囲外に磁界を発生させる部品を配置する必要があったが、本実施形態によれば磁界を発生させる部品を優先的に配置した後に、磁界の影響を避け得る傾斜角度を有するセンサホルダ６０を選択的に決定し、ホルダ収容部４０内に収容すればよいため部品配置に関する設計効率が向上する。
【００４６】
以上、本発明を実施の形態を用いて説明したが、本発明の技術的範囲は上記実施形態に限定されるものではない。各実施形態に多様な変更、改良を加え得ることは当業者にとって明らかであり、そのような変更又は改良を加えた形態も本発明の技術的範囲に含まれ得ることは、特許請求の範囲の記載から明らかである。
【００４７】
１  パチンコ機，３  本体枠，４  枠部，４Ａ  下枠，１０  遊技盤，
３０  部品搭載部，４０  ホルダ収容部，６０  センサホルダ，６１  ホルダ基部，
７０  ホルダ頭部，８０  係止上壁，８０Ａ  上端面，Ｋ  検出有効範囲，Ｑ１  屈曲部
【図１】
2014151086.tif 000003
【図２】
2014151086.tif 000004
【図３】
2014151086.tif 000005
【図４】
2014151086.tif 000006
【図５】
2014151086.tif 000007
【図６】
2014151086.tif 000008
【図７】
2014151086.tif 000009
【図８】
2014151086.tif 000010